(57)【要約】【課題】患者情報を、ディジタルＸ線検出器を有するＸ線イメージング・システムによって取得される画像と関連付ける。【解決手段】Ｘ線画像識別のシステム及び方法を提供する。このシステム及び方法は、患者情報を画像情報と関連付ける。方法は、ディジタルＸ線検出器（３００、５００）の外部の識別部材から患者情報を取得するステップと、患者情報をＸ線検出器の内部又は画像に記憶するステップとを含んでいる。方法はさらに、患者情報をＸ線イメージング・システムによって取得される画像と関連付けるステップと、Ｘ線検出器がホスト・システムに接続されているときに、取得画像を関連情報と共にホスト・システムに伝達するステップとを含んでいる。【選択図】図１
2010162345.tif 000002
【特許請求の範囲】
【請求項１】
ディジタル検出器要素（３０４）と、
該ディジタル検出器要素の前面（３０８）に結合され、前記ディジタル検出器要素の少なくとも一部を覆うポケット（３０６）であって、内部に識別カード（３１２）を収納するように構成されているポケット（３０６）と
を備えたＸ線検出器（３００）。
【請求項２】
前記ポケット（３０６）は前記前面（３０８）の隅に結合されており、該前面はＸ線検出表面である、請求項１に記載のＸ線検出器（３００）。
【請求項３】
前記ポケット（３０６）はＸ線透過性材料を含んでいる、請求項１に記載のＸ線検出器（３００）。
【請求項４】
当該識別カードからＸ線曝射を用いた画像への情報の転送を可能にする材料で構築された識別カード（３１２）をさらに含んでいる請求項１に記載のＸ線検出器（３００）。
【請求項５】
放射線非透過性の識別情報を印刷されて含む識別カード（３１２）をさらに含んでいる請求項１に記載のＸ線検出器（３００）。
【請求項６】
筐体（５０２）と、
該筐体の内部のディジタル要素（５０４）と、
前記筐体に結合されて、患者に関する識別情報を取得する又は画像に関する識別情報を提供するように構成されている装置（５２０）と
を備えたＸ線検出器（５００）。
【請求項７】
前記装置（５２０）は、前記識別情報を符号化したバーコードを読み取るように構成されているバーコード読み取り器を含んでいる、請求項６に記載のＸ線検出器（５００）。
【請求項８】
前記バーコードを含む識別カード（５２６）をさらに含んでいる請求項７に記載のＸ線検出器（５００）。
【請求項９】
前記取得された識別情報を記憶するメモリ（５４０）をさらに含んでいる請求項６に記載のＸ線検出器（５００）。
【請求項１０】
前記識別情報を識別カード（７６４）に転送するように構成されている装置（７６０）をさらに含んでいる請求項６に記載のＸ線検出器（５００）。
【発明の詳細な説明】
【技術分野】
【０００１】
本発明は一般的には、診断用イメージング・システムに関し、さらに具体的には、Ｘ線イメージング・システムに関する。
【背景技術】
【０００２】
診断医療撮像では、患者データを画像データと関連付けることが重要である。具体的には、後に画像データを精査して解析するときに、取得された画像データを患者と関連付けることが可能であることが重要である。幾つかのイメージング・システムは、患者データを画像データと容易に関連付けるように精査用ステーション又は画像記憶システムに接続されている。例えば、ディジタル検出器Ｘ線システムでは、検出器を含むシステムの走査部分は制御器に接続されて、Ｘ線画像データを取得する処理が制御器によって実行されるようになっている。制御器は典型的には、利用者によって用いられるコンソールと、受け取ったＸ線画像データを処理する処理構成要素とを含んでいる。撮像されている患者に関する情報は典型的にはシステムの内部に記憶され、次いで患者について取得された画像と関連付けされ又は関連して保存される。利用者は典型的には、どの患者が走査部分によって走査されているかを示す入力を、患者名を入力する又は一覧若しくはデータベースから名前を選択すること等により供給する。このようにして、患者情報が、走査部分に接続された制御器の処理構成要素の内部で取得画像と関連付けされる。例えば、医療におけるディジタル撮像及び通信（ＤＩＣＯＭ）のヘッダを用いて患者情報を伝達することができる。
【先行技術文献】
【特許文献】
【０００３】
【特許文献１】米国特許出願公開第２００８／０５９２５０号明細書
【発明の概要】
【発明が解決しようとする課題】
【０００４】
しかしながら、ディジタルＸ線システムが可搬型である若しくは制御器から遠隔に位置する場合、又は例えば既存のフィルム形式Ｘ線検出器システムをディジタル検出器によって換装する場合に、このシステムは、例えば制御器又はホスト・システムのような他の装置と必ずしも連絡していない。従って、取得された画像と関連付けるための患者情報が利用可能でない。従って、利用者は、取得画像（走査部分の内部に記憶されている）及び画像に対応する患者の一覧を手動で保存する又は他の方法で記録しておかなければならない。この工程は時間を要し、画像を誤った患者と関連付ける誤りの可能性を招く場合があり、これにより不適当な診断を招き得る。
【課題を解決するための手段】
【０００５】
一実施形態によれば、患者情報を、ディジタルＸ線検出器を有するＸ線イメージング・システムによって取得される画像と関連付ける方法が提供される。方法は、ディジタルＸ線検出器の外部の識別部材から患者情報を取得するステップと、患者情報をＸ線検出器の内部に記憶するステップとを含んでいる。方法はさらに、患者情報をＸ線イメージング・システムによって取得される画像と関連付けるステップと、Ｘ線検出器がホスト・システムにされているときに、取得画像を関連情報と共にホスト・システムに伝達するステップとを含んでいる。
もう一つの実施形態によれば、ディジタル検出器要素と、該ディジタル検出器要素の前面に結合されたポケットとを含むＸ線検出器が提供される。ポケットは、ディジタル検出器要素の少なくとも一部を覆っており、内部に識別カードを収納するように構成されている。
【０００６】
さらにもう一つの実施形態によれば、筐体及び該筐体の内部にディジタル要素を含むＸ線検出器が提供される。Ｘ線検出器はさらに、筐体に結合された装置を含んでいる。装置は、患者に関する識別情報を取得する又は画像に関する識別情報を提供するように構成されている。
【図面の簡単な説明】
【０００７】
【図１】本発明の様々な実施形態が関連して用いられ得るＸ線イメージング・システムのブロック図である。
【図２】本発明の様々な実施形態が関連して用いられ得る可動式Ｘ線システムの側面図である。
【図３】本発明の一実施形態に従って形成されるＸ線検出器の遠近図である。
【図４】本発明の様々な実施形態に従って画像の一部として形成される識別情報を有する画像である。
【図５】本発明のもう一つの実施形態に従って形成されるＸ線検出器の遠近図である。
【図６】本発明の一実施形態に従って形成されるＸ線検出器のブロック図である。
【図７】本発明のもう一つの実施形態に従って形成されるＸ線検出器の遠近図である。
【発明を実施するための形態】
【０００８】
以上の概要及び以下の本発明の幾つかの実施形態の詳細な説明は、添付図面と併せて読解するとさらに十分に理解されよう。図面が様々な実施形態の機能ブロックの線図を示す範囲までにおいて、機能ブロックは必ずしもハードウェア・サーキットリの間の区分を示す訳ではない。従って、例えば、機能ブロックの１又は複数（例えばプロセッサ又はメモリ）が単体のハードウェア（例えば汎用信号プロセッサ若しくはランダム・アクセス・メモリ、又はハード・ディスク等）として具現化されてよい。同様に、プログラムは独立型プログラムであってもよいし、オペレーティング・システムのサブルーチンとして組み込まれていてもよいし、インストールされているソフトウェア・パッケージの機能等であってもよい。尚、様々な実施形態は図面に示されている構成及び手段に限定しないことを理解されたい。
【０００９】
本書で用いる場合には、単数形で記載されており単数不定冠詞を冠した要素又はステップは、排除を明記していない限りかかる要素又はステップを複数備えることを排除しないものと理解されたい。さらに、本発明の「一実施形態」に対する参照は、所載の特徴を同様に組み入れている追加の実施形態の存在を排除しないものと解釈されたい。また、反対に明記されていない限り、特定の特性を有する一つの要素若しくは複数の要素を「含んでいる」又は「有している」実施形態は、この特性を有しないような追加の要素を包含し得る。
【００１０】
本発明の様々な実施形態は、１又は複数のＸ線画像を、患者のような撮像されている対象に関する情報と関連付ける方法及びシステムを提供する。例えば、本発明の様々な実施形態は、当該システムとの間の通信が提供されていれば患者情報を取得画像と関連付けるために用いられるであろう制御器又はホスト・システムとの間に通信が提供されていないようなシステムにおいて、患者情報をＸ線画像と関連付けることを可能にする。これらの様々な実施形態は可搬型イメージング・システムに関連して記載される場合があるが、限定されない。さらに、様々な実施形態を、制御器、中央プロセッサ又はホストへの通信リンクが提供されているシステムに関連して用いることもでき、通信が例えば途絶したとき若しくは作動しないときに用いてもよいし、画像を患者情報と関連付けるときの二次チェックとして用いてもよい。このように、本発明の様々な実施形態は、任意の形式のＸ線システム、特にディジタルＸ線検出器を有するＸ線システムに関連して用いられ得る。
【００１１】
尚、本書に記載される様々な実施形態では、類似の符号は類似の部分を表わすことを特記しておく。
【００１２】
図１は、本発明の様々な実施形態が関連して用いられ得るイメージング・システム１００を示す。図示の目的のために、イメージング・システム１００はディジタル検出器を有するＸ線システムとして記載される。イメージング・システム１００は全体的に、Ｘ線源１２０と、ディジタルＸ線センサを形成するＸ線検出器走査域１１５を画定する１又は複数の検出器セルから形成され得るＸ線検出器１１０とを含んでいる。患者１３０のような対象が、Ｘ線源１２０とＸ線検出器１１０との間に配置される。イメージング・システム１００はまた、Ｘ線検出器１１０に接続されている読み出し電子回路１４５を有するデータ取得システム１４０を含んでいる。
【００１３】
動作時には、公知のように、患者１３０を透過したＸ線信号１５０がディジタル画像に変換され、これらの画像は、各々のピクセルがディジタル式で符号化されているピクセルのマトリクスにディジタル化されている。Ｘ線検出器１１０はＸ線を検出し、検出されたＸ線を画像を形成するのに用いられる電気信号に変換する任意の材料又は材料の組み合わせによって形成され得る。さらに、例えばスロット走査形式の検出器、タイル型ＣＣＤアレイ、直接変換検出器又は計算機式ラジオグラフィ検出器のような他の形式の検出器構造を用いることができる。
【００１４】
本発明の様々な実施形態を用いて、例えばＸ線イメージング・システムのような様々な形式の診断用イメージング・システムにおいて患者データと画像データとを関連付けることができる。例えば、様々な実施形態は、医療分野又は他の分野に用いられ得る図２に示すような可動式Ｘ線システム２００に関連して具現化することができる。尚、これらの様々な実施形態は特定の形式のイメージング・システムに限定されている訳ではなく、データ、特に患者データが画像データと関連付けられるべき任意の形式のイメージング・システムに関連して用いられ得ることを特記しておく。例えば、様々な実施形態を、固定室内向けイメージング・システム、又は一般にＸ線画像データ若しくは他の画像データを取得する任意のシステムと関連して用いることができる。
【００１５】
ここで図２を参照すると、システム２００は、車輪付き電動駆動アセンブリ２１２と、該駆動アセンブリ２１２によって支持され得る操作者コンソール２１４とを有している。電動駆動アセンブリ２１２は、システム２００の後端２２６に後部駆動輪２１８（一方の車輪が図示されている）と、システム２００の前端２２８に前輪２２０（一方の車輪が図示されている）とを有している。但し、車輪の数が増減してもよいし、他の可動部材を設けてもよいことを特記しておく。
【００１６】
支柱２１６又は他の支持部材が、駆動アセンブリ２１２に取り付けられて駆動アセンブリ２１２から延在しており、駆動アセンブリ２１２に関して回転する又は旋回することが可能であってよい。加えて、支柱２１６に固定されたアーム２３２もまた、支柱２１６に関して入れ子式に伸縮することができ、アーム２３２の外側端部に装着された構成要素を支柱２１６に近付けて又は支柱２１６から遠ざけて移動させることを可能にしている。Ｘ線源アセンブリ２１５のような放射線源が、アーム２３２の外側端部に取り付けられており、Ｘ線源（図示されていない）を収納したＸ線管筐体２２２を含んでいる。コリメータ２２４が、管筐体２２２に取り付けられていてよく、管筐体２２２に関して回転自在である。Ｘ線検出器２３６（本実施形態ではディジタルＸ線検出器）がＸ線を検出し、撮像制御器２２７と無線で又はケーブル２３７を介して通信することができる。
【００１７】
データが関連付けられるべき撮像対象２２９（例えば患者）は、寝台又はテーブル２３０に横臥していてもよいが、立位であってもよい。一旦システム２００がテーブル２３０の近くに配置されると、支柱２１６は旋回又は回転されて、対象２２９の上方にＸ線源アセンブリ２１５を配置する。検出器２３６は被検体２２９の反対側に配置される。
【００１８】
本発明の様々な実施形態は、検出器要素３０４を内部に保持し又は有する筐体３０２を有する図３に示すようなＸ線検出器３００を含み得る。検出器要素３０４は、限定しないが例えば本書に記載される任意の形式のディジタル検出器要素、例えば半導体等のような任意の適当なＸ線検出要素である。この実施形態では、Ｘ線検出器３００は、Ｘ線検出器３００の前面３０８に配置されたポケット３０６として構成されたホルダを含んでいる。ポケット３０６は、検出器要素３０４の一部を覆うように配置されており、例えば検出器要素３０４の左下隅に配置されている。但し、ポケット３０４が検出器要素３０４の少なくとも一部を覆っている限り、ポケット３０４はＸ線検出器３００の前面３０８に沿った任意の位置に配置されていてよいことを特記しておく。ポケットは全体的に開放端３１０を含んでおり、開放端３１０はポケット３０６の上部に図示されている。但し、開放端３１０は、ポケット３０６の上部の代わりに又は上部に加えて、ポケット３０６の一つの側面又は両側面に設けられていてもよい。
【００１９】
尚、ポケット３０６は、Ｘ線検出器３００に常置的に取り付けられていてもよいし着脱自在で連結されてもよいことを特記しておく。例えば、ポケット３０６はＸ線検出器３００に接着されていてもよいし、面ファスナのような着脱自在の締結具によってＸ線検出器３００に連結されてもよい。また、ポケット３０６はＸ線に対して透過性である任意の材料から形成されてよいことを特記しておく。ポケット３０６を形成する材料はまた、ポケット３０６の内容が見えるように透明であってもよいし、識別及びＸ線検出器３００の上での位置判定が容易であるように不透明で着色されていてもよい。
【００２０】
ポケット３０６はまた、様々な寸法及び比で成形され寸法決めされてよい。従って、ポケット３０６は矩形の形状として図示されているが、ポケットは例えば正方形及び三角形等の異なる形状であってよい。一実施形態では、ポケット３０６は約２インチ×約１インチの寸法を有する矩形の形状である。ポケット３０６は全体的に、この実施形態では識別カード３１２である識別部材に対して相補的に、また識別部材を内部に収納するように寸法決めされて成形される。識別カード３１２は、放射線不透過性物質例えば放射線不透過性のインク又は染料を用いて表面に記録され又は印刷された識別情報３１４を含んでいる。例えば、患者識別情報（例えば患者名及び識別番号）が、放射線不透過性のマーカ又はプリンタを用いてカードに印刷され又は手書きされ得る。但し、例えば日付及び場所等の情報、又は画像情報（例えばロゴ及び絵柄等）等の任意の形式の情報を識別カード３１２に設けることができる。情報は識別カード３１２に予め印刷されていてもよいし、放射線不透過性マーカを用いて情報を手書きすることにより検査前に設けられてもよい。
【００２１】
尚、識別カード３１２は、放射線不透過性のインク若しくは染料によって識別カード３１２に印刷され又は手書きされた情報が画像に取り込まれるような材料から形成されていることを特記しておく。さらに、識別カード３１２は任意の形式の識別体又はマーカと置き換えられ得る。
【００２２】
このようにして、図４に示すように、識別カード３１４に与えられた任意の情報が画像４００の一部となる。例えば、画像４５０の左下部分に示すように、この実施例では患者名及び患者識別番号を含む識別情報４５２が画像の一部となる。
【００２３】
もう一つの実施形態では、Ｘ線検出器５００が、該Ｘ線検出器５００の側面５２２にスキャナ５２０を含んでおり、例えば図５に示すように筐体５０２の側面５２２に装着されている。スキャナ５２０は、任意の走査用装置、例えばバーコード読み取り器であってよい。スキャナ５２０は、本書に記載されるような患者に関する識別情報を含む識別カード５２６を挿入するためのスロット５２４を含み得る。但し、この実施形態では、識別情報は、識別カード５２６がスロット５２４に挿入されたときに読み取られるバーコードに符号化されている。選択随意で、スキャナ５２０は、識別カード５２６をスキャナ５２０に挿入する必要なく識別情報を読み取る公知のような光学式読み取り器（図示されていない）を含み得る。スキャナ５２０はまた、ポケット５０６の一部として設けられていてもよい。
【００２４】
尚、スキャナ５２０は、識別カード５２６から識別情報を読み取ることが可能な例えば任意の形式の光学式スキャナ又は無線周波数スキャナ等の任意の形式の公知の走査装置であってよいことを特記しておく。選択随意で、スキャナ５２０は、例えばテキスト文字の形態で識別情報又は患者データの画像を得るビデオ録画カメラであってもよい。次いで、識別情報は、Ｘ線検出器５００と一体型であってもよいし別個であってもよい図６に示すようなメモリ６３０に記憶される。例えば、メモリ６３０は、Ｘ線検出器５００に一体化されていても着脱自在で挿入されてもよいデータ記憶装置、又は例えばＸ線検出器５００の側面５２２のスロット５４２の内部に挿入されるフラッシュ・メモリ・データ記憶装置５４０等の着脱自在のメモリ要素であってよい（全て図５に示す）。スロット５４２はフラッシュ・メモリ読み取り器６５０の一部を形成している。
【００２５】
メモリ６３０は、識別情報が取得されたＸ線画像データと関連付けられるように識別情報を記憶する。例えば、新たな患者が走査される度に、特に患者を撮像する前に、識別カード５２６がスキャナ５２０によって走査され、情報は記憶されて走査時に取得されるあらゆる画像と関連付けられる。この後に、もう１枚の識別カード５２６が走査されると、以降のあらゆる画像はこの識別カード５２６からの識別情報と関連付けられる。例えば、メモリ位置識別子又はメモリ・アドレスが識別情報と関連付けられることができ、あらゆる取得されるＸ線画像データがこのメモリ位置又はアドレスに記憶される。従って、Ｘ線検出器５００がホスト・システムに接続されているときに、画像は関連する識別情報と共に伝達されて、取得画像を患者と関連付けることができる。尚、識別カード５２６は画像取得の前、取得中、又は取得後に走査され得ることを特記しておく。
【００２６】
尚、スキャナ５２０によって取得される識別情報は選択随意で、図４に示すものと同様の画像に印刷され得ることを特記しておく。また、スキャナ５２０はハンド・ヘルド型装置であってもよく、このハンド・ヘルド型装置はＸ線検出器５００に有線であっても無線であってもよい接続で接続され、例えば着脱自在に接続されて、走査動作を実行して、識別カード５２６又は患者に接続され得る他の標識（例えばバーコード付きリストバンド）から識別情報を得ることを特記しておく。さらに、スキャナ５２０はＸ線検出器５００の側面５２２に装着されることに限定されず、例えばＸ線検出器５００の上面又は背面に装着されてもよいし、検出器５００の特定の位置に組み入れられてもよいことを特記しておく。
【００２７】
選択随意で、識別カード５２６の代わりにバーコード又は他の走査可能な情報を含む一覧を１又は複数のシートに設けてもよく、各々の新たな患者を走査すべきときに走査可能な情報がスキャナ５２０に提示される（例えばスキャナ５２０に通す又は前面にかざす）ようにする。例えば、１枚の紙に１日に撮像される予定のあらゆる患者についての識別情報を一覧にして、この紙に各々の患者毎に別個のバーコードを設けてよい。
【００２８】
図７に示すようなもう一つの実施形態では、又は選択随意で、Ｘ線検出器７００が符号器（エンコーダ）７６０を含んでいてよく、符号器７６０はＸ線検出器７００の側面７２２に設けられ得る。符号器７６０は、ブランクの識別カード７６４（例えば電子カード）を挿入するためのスロット７６２を含んでおり、カードには患者情報が符号化されて、例えば走査を患者と関連付けるための識別情報を含む追加記録を提供する。符号器７６０は任意の形式の符号器であってよく、例えばブランクの識別カード７６４に磁気帯７６６を符号化する磁気符号器であってよい。符号器７６０は、選択随意でブランクの識別カード７６４に情報を印刷する印刷装置であってもよい。
【００２９】
このように、本発明の様々な実施形態は、画像取得時に識別情報（例えば患者データ）を取得画像と関連付ける様々な手段を提供する。従って、検出器が図６に示すようにホスト・システム７７０に接続されなければならない以前に多数の画像を取得することができる。さらに、これらの様々な実施形態は、フィルム形式検出器システム（例えば可動式フィルム形式検出器ユニット）がディジタル検出器にアップグレードされるときのアップグレード・キット又は換装キットの一部として具現化されてもよい。
【００３０】
従って、本発明の様々な実施形態によれば、患者データを画像取得工程時に画像に「焼き付ける」ことができる。本発明の他の実施形態では、ブランクの識別カードを提供することができ、次いで画像データを患者に携行されるカードに符号化する。例えば、患者について取得された画像の画像番号に対応する画像番号（例えば００１８、００１９及び００２０）を識別カードに符号化することができる。代替的には、医療記録又はファイルを患者に携行させて、画像データを医療記録において符号化して患者記録を更新することができる。また、画像は、例えば識別カードのメモリの内部に磁気的に符号化され又は記憶されて、識別カードに直接書き込まれ得ることを特記しておく。例えば、識別カードはフラッシュ・メモリ又は着脱自在のフラッシュ・ドライブを含み得る。
【００３１】
他の例として、検査からのデータの全て若しくは一部が識別カードに含まれていてもよいし含まれていなくてもよい。例えば、検査及び／又は試験事象を識別カードに符号化することができる。他の例として、試験及び検査の１又は複数の確認を識別カードに符号化することができ、この確認は、例えば識別カードに既に記憶されている患者の検査一覧における照合印と等価である。
【００３２】
加えて、様々な変形及び改変が思量される。例えば、キーボード、タッチスクリーン、タッチパッド又は他の利用者入力を検出器に接続して識別情報を入力する又は選択することができる。また、様々な読み取り器及びスキャナは、例えば読み取られ又は走査される識別情報の形式に基づいて、異なる形式の読み取り器又は走査装置を用いて設けられ得る。
【００３３】
本発明の幾つかの実施形態は、プロセッサ又はコンピュータが撮像装置を動作させて本書に記載される方法の１又は複数の実施形態を実行するように命令を記録されて有する機械可読媒体（１又は複数）を提供する。媒体（１又は複数）は、任意の形式のＣＤ−ＲＯＭ、ＤＶＤ、フレキシブル・ディスク、ハード・ディスク、光ディスク、フラッシュＲＡＭドライブ若しくは他の形式のコンピュータ可読媒体、又はこれらの組み合わせであってよい。
【００３４】
様々な実施形態、並びに／又は構成要素、例えばプロセッサ、若しくは内部の構成要素及び制御器は、１又は複数のコンピュータ又はプロセッサの一部として具現化され得る。コンピュータ又はプロセッサは、計算装置、入力装置、表示ユニット、及び例えばインターネットにアクセスするためのインタフェイスを含み得る。コンピュータ又はプロセッサはマイクロプロセッサを含み得る。マイクロプロセッサは通信バスに接続され得る。コンピュータ又はプロセッサはまた、メモリを含み得る。メモリは、ランダム・アクセス・メモリ（ＲＡＭ）及び読み出し専用メモリ（ＲＯＭ）を含み得る。コンピュータ又はプロセッサはさらに、記憶装置を含んでいてよく、記憶装置はフレキシブル・ディスク・ドライブ及び光ディスク・ドライブ等のようなハード・ディスク・ドライブ若しくは着脱自在の記憶ドライブであってよい。記憶装置はまた、コンピュータ又はプロセッサにコンピュータ・プログラム又は他の命令をロードする他の同様の手段であってよい。
【００３５】
本書で用いられる「コンピュータ」との用語は、マイクロコントローラ、縮小命令セット・コンピュータ（ＲＩＳＣ）、特定用途向け集積回路（ＡＳＩＣｓ）、論理回路、及び本書に記載される作用を実行することが可能な他の任意の回路又はプロセッサを用いたシステムを含め、任意のプロセッサ又はマイクロプロセッサを基本としたシステムを含み得る。以上の例は例示に過ぎず、従って、「コンピュータ」との用語の定義及び／又は意味を如何なる方法でも限定するものではない。
【００３６】
コンピュータ又はプロセッサは、入力データを処理するために、１又は複数の記憶要素に記憶される一組の命令を実行する。記憶要素はまた、所望又は必要に応じてデータ又は他の情報を記憶することができる。記憶要素は、処理機械の内部の情報源又は物理メモリ要素の形態にあってよい。
【００３７】
一組の命令は、本発明の様々な実施形態の方法及び工程のような特定の動作を実行するように処理機械としてのコンピュータ又はプロセッサに命令する様々な指令を含み得る。一組の命令は、ソフトウェア・プログラムの形態にあってよい。ソフトウェアは、システム・ソフトウェア又はアプリケーション・ソフトウェアのような様々な形態にあってよい。さらに、ソフトウェアは、別個のプログラムの集合、より大きなプログラムの内部のプログラム・モジュール、又はプログラム・モジュールの一部の形態にあってよい。ソフトウェアはまた、オブジェクト指向プログラミングの形態のモジュール式プログラミングを含み得る。処理機械による入力データの処理は、利用者の指令に応答してもよいし、以前の処理の結果に応答してもよいし、他の処理機械によって成される要求に応答してもよい。
【００３８】
本書で用いられる「ソフトウェア」及び「ファームウェア」との用語は互換であり、コンピュータによる実行のためにＲＡＭメモリ、ＲＯＭメモリ、ＥＰＲＯＭメモリ、ＥＥＰＲＯＭメモリ、及び不揮発性ＲＡＭ（ＮＶＲＡＭ）メモリを含むメモリに記憶されている任意のコンピュータ・プログラムを含んでいる。以上のメモリの形式は例示にすぎず、従ってコンピュータ・プログラムの記憶に利用可能なメモリの形式について限定するものではない。
【００３９】
以上の記載は例示説明のためのものであって制限するものではないことを理解されたい。例えば、上述の実施形態（及び／又は各実施形態の各観点）を互いに組み合わせて用いることができる。加えて、本発明の範囲を逸脱することなく、多くの改変を施して本発明の教示に特定の状況又は材料を適合させることもできる。本書に記載されている材料の寸法及び形式は、本発明の各パラメータを定義するためのものであるが、限定的な実施形態ではなく、例示的な実施形態である。以上の記載を吟味すれば、当業者には他の多くの実施形態は明らかとなろう。従って、本発明の範囲は、特許請求の範囲に関連して、かかる特許請求の範囲が網羅する等価物の全範囲と共に決定されるものとする。特許請求の範囲では、「including包含する」等の用語は「comprising含む」等の用語の標準英語の同義語として、また「in whichこのとき」等の用語は「whereinここで」等の用語の標準英語の同義語として用いられている。さらに、特許請求の範囲では、「第一」「第二」及び「第三」等の用語は単にラベルとして用いられており、これらの用語の目的語に対して数値的要件を課すものではない。さらに、特許請求の範囲の制限は、「手段プラス機能（means-plus-function）」式で記載されている訳ではなく、かかる特許請求の範囲の制限が、「〜のための手段」に続けて他の構造を含まない機能の言明を従えた文言を明示的に用いていない限り、合衆国法典第３５巻第１１２条第６パラグラフに基づいて解釈されるべきではない。
【００４０】
この書面の記載は、最適な態様を含めて本書において本発明を開示し、また任意の装置又はシステムを製造して利用すること及び任意の組み込まれた方法を実行することを含めて当業者が本発明を実施することを可能にするように実例を用いている。本発明の特許付与可能な範囲は特許請求の範囲によって画定され、当業者に想到される他の実例を含み得る。かかる他の実例は、特許請求の範囲の書字言語に相違しない構造的要素を有する場合、又は特許請求の範囲の書字言語と非実質的な相違を有する等価な構造的要素を含む場合には、特許請求の範囲内にあるものとする。
【符号の説明】
【００４１】
１００  イメージング・システム
１１０  Ｘ線検出器
１１５  放射線検出器走査域
１２０  Ｘ線源
１３０  患者
１４０  データ取得システム
１４５  読み出し電子回路
１５０  Ｘ線信号
２００  Ｘ線システム
２１２  駆動アセンブリ
２１４  操作者コンソール
２１５  線源アセンブリ
２１６  支柱
２１８  後部駆動輪
２２０  前輪
２２２  管筐体
２２４  コリメータ
２２６  後端
２２７  撮像制御器
２２８  前端
２２９  対象
２３０  テーブル
２３２  アーム
２３６  Ｘ線検出器
２３７  ケーブル
３００  Ｘ線検出器
３０２  筐体
３０４  検出器要素
３０６  ポケット
３０８  前面
３１０  開放端
３１２  識別カード
３１４  識別情報
４００  画像
４５２  識別情報
５００  Ｘ線検出器
５０２  筐体
５０４  ディジタル要素
５２０  スキャナ
５２２  側面
５２４  スロット
５２６  識別カード
５４０  メモリ・データ記憶装置
５４２  スロット
６３０  メモリ
６５０  フラッシュ・メモリ読み取り器
７００  Ｘ線検出器
７２２  側面
７６０  符号器
７６２  スロット
７６４  ブランクの識別カード
７６６  磁気帯
７７０  ホスト・システム
【図１】
2010162345.tif 000003
【図２】
2010162345.tif 000004
【図３】
2010162345.tif 000005
【図４】
2010162345.tif 000006
【図５】
2010162345.tif 000007
【図６】
2010162345.tif 000008
【図７】
2010162345.tif 000009
【外国語明細書】
2010162345000001.pdf